Podtech/llm-jp-corpus-v4-ja_patent huggingface dataset:
(57)【要約】【課題】  爪を長く伸ばしている者や、爪に装飾を施している者、或いは親指の指先が太い者など、携帯電話機のボタン操作に不向きな者が、親指の指先に簡単に装着して使用することにより、携帯電話機のボタン操作を容易にするための親指装着具を提供する。【解決手段】  親指の指先に着脱する筒状の装着具（ゴム製の指サック、板片をらせん状に巻回して筒体状としたもの、幅広のリング状に形成されたものなど）の指腹先端部分に、携帯電話機の操作部に設けたボタンを押しで操作する小突起部を設けた。【選択図】  図５
0003111136.tif 000002
【実用新案登録請求の範囲】
【請求項１】
親指の指先に着脱する筒状の装着具の指腹先端部分に、携帯電話機の操作部に設けたボタンを押しで操作する小突起部を設けた携帯電話機ボタン操作用親指装着具。
【請求項２】
親指に着脱する装着具が、ゴム製の指サックである請求項１記載の携帯電話ボタン操作用親指装着具。
【請求項３】
親指に着脱する装着具が、樹脂製の板片をらせん状に巻回してなる筒体である請求項１記載の携帯電話ボタン操作用親指装着具。
【請求項４】
親指に着脱する装着具が、やや先細りの円錐台形状で幅広のリング状である請求項１記載の携帯電話ボタン操作用親指装着具。
【考案の詳細な説明】
【技術分野】
【０００１】
本考案は、携帯電話機のボタンを操作する親指に装着して使用する携帯電話ボタン操作用の親指装着具に関する。
【背景技術】
【０００２】
携帯電話機にデータ入力等の操作をするためのボタンは、通常小さく、かつ、ボタン相互の間隔が狭い。
そして携帯電話機を手に持った状態では、親指の指先でボタンを操作するが、親指の爪を長く伸ばしている者や、爪に装飾を施している者、或いは親指の指先が太い者などは、爪を傷めるか、或いは隣接する他のボタンを同時に押すなどの誤操作するなどとして、ボタン操作に不向きな場合がある。
【考案の開示】
【考案が解決しようとする課題】
【０００３】
本考案は、上記のような携帯電話機のボタン操作に不向きな者が、親指の指先に簡単に装着して使用することにより、携帯電話機のボタン操作を容易にするための親指装着具を提供することを目的とする。
【課題を解決するための手段】
【０００４】
以上の技術的課題を解決するため、本考案に係る携帯電話機ボタン操作用親指装着具は、親指の指先に着脱する筒状の装着具の指腹先端部分に、携帯電話機の操作部に設けたボタンを押しで操作する小突起部を設けたものである。
【０００５】
また、上記携帯電話ボタン操作用親指装着具において、親指に着脱する筒状の装着具は、ゴム製の指サックで構成したものである。
【０００６】
さらに、上記携帯電話ボタン操作用親指装着具において、親指に着脱する筒状の装着具は、樹脂製の板片をらせん状に巻回して筒体状としたもの、或いは、やや先細りの円錐台形状で幅広のリング状に形成されたものである。
【考案の効果】
【０００７】
本考案に係る携帯電話機のボタン操作用の親指装着具によれば、親指の爪を長く伸ばしている者や、爪に装飾を施している者、或いは親指の指先が太い者など、ボタン操作に不向きな場合にも、この装着具を親指の指先に装着して、爪を傷めたり、或いは隣接する他のボタンを同時に押すなどの誤操作をすることなく、容易に携帯電話機のボタンを操作することができる効果がある。
【考案を実施するための最良の形態】
【０００８】
以下、本考案に係る親指装着具の実施例を図面に基づいて説明する。
【実施例１】
【０００９】
図１は、本考案による親指装着具の第１実施例を示しており、親指装着具１は、装着具本体２と、その指腹の先端近傍に取付けた小突起３からなる。
装着具本体２は、弾性を有するゴムの薄膜で筒状に形成した通常の指サックからなり、先端部または背部などに適宜の孔４を設けて、爪の突出、或いは通気用としている。
【００１０】
また、小突起３は、装着具本体２を親指の指先部、すなわち第１関節の辺りまで装着した状態で、手に持った携帯電話機５のボタン操作に適する位置で、通常指腹の先端近傍に当たる位置に取付ける。
この小突起３は、その形状は角柱状、半球状など適宜の形状が用いられ、材質は、柔軟な可撓性のある弾性材、或いは、逆に可撓性のない硬質材など、使用者の好みに合わせて選択される。
【００１１】
図４は第１実施例の親指装着具１を親指に装着して携帯電話機５のボタンを操作している状態を示している。この例では、指腹の先端近傍に当たる位置に小突起３が取付けられ、また、親指装着具１の先端部に設けた孔４から親指の長い爪が先方に突出している。
【実施例２】
【００１２】
図２は、本考案の第２の実施例による親指装着具１を示しており、その装着具本体７は、適度の弾性がある樹脂製の板片６を親指の太さ程度のらせん状に巻回して筒体状の装着具本体７としたものである。
なお、この実施例による装着具本体７に取付ける小突起３は、第１実施例における小突起３と同様のものでよい。
【００１３】
この第２の実施例においては、装着具本体７は、弾性がある樹脂製の板片６を２回り程度らせん状に巻回して筒体状に形成しているため、親指に装着したときの筒体の径が広がりやすく、第１実施例による指サック状の装着具による場合に比べて、使用者の指の太細に対して、より幅広く適用できる。
【００１４】
図５は、本考案の第２の実施例による親指装着具１を親指に装着して携帯電話機５のボタンを操作している状態を示している。
この例では、装着前には、板片６は２回り程度巻回している装着具本体７が、親指に装着したときには筒体の径が広がり、親指に一回り半ほど巻きついた状態になっているが、この程度の巻き付き状態で程好く親指に固定される。
【実施例３】
【００１５】
図３は、本考案の第３の実施例による親指装着具１を示しており、その装着具本体８は、ゴム製または樹脂製で、やや先細りの円錐台形状、すなわち幅広のリング状に形成されている。
またその先端部には小突起３を設けているが、この実施例による装着具本体８に取付ける小突起３も、第１実施例における小突起３と同様のものでよい。
【００１６】
この第３の実施例による親指装着具１による場合には、使用者の指の太さに合うように幾つかのサイズのものを用意しておくことにより、幅広く適用できる。
【図面の簡単な説明】
【００１７】
【図１】本考案の実施例１に係る親指装着具１を示す斜視図である。
【図２】本考案の実施例２に係る親指装着具１を示す斜視図である。
【図３】本考案の実施例３に係る親指装着具１を示す斜視図である。
【図４】本考案の実施例１に係る親指装着具１を親指に装着して携帯電話のボタンを操作している状態を示す斜視図である。
【図５】本考案の実施例２に係る親指装着具１を親指に装着して携帯電話のボタンを操作している状態を示す斜視図である。
【符号の説明】
【００１８】
１    親指装着具
２、７、８    装着具本体
３    小突起
４    孔
５    携帯電話機
６    板片
【図１】
0003111136.tif 000003
【図２】
0003111136.tif 000004
【図３】
0003111136.tif 000005
【図４】
0003111136.tif 000006
【図５】
0003111136.tif 000007
(57)【要約】【課題】  一度の食事において使用する皿の枚数を減らすことが出来、さらにその皿を使用し易くした使い捨て皿を提供する。【解決手段】  互いに張り付き、かつ、最上層から順次一枚ずつ剥離可能な複数枚のフィルム層で皿本体の表面を被覆してなり、食物を最上層のフィルム層上に盛り付け消費した後、最上層フィルムを剥離して捨てることにより、次のフィルム層を最上層として順次使用するようにした。また、フィルムは自己接着性を有していると共に、各フィルムは他のフィルムと接着しない剥離用の摘み部を設けた。【選択図】  図１
0003111137.tif 000002
【実用新案登録請求の範囲】
【請求項１】
互いに張り付き、かつ、最上層から順次一枚ずつ剥離可能な複数枚のフィルム層で皿本体の表面を被覆してなり、食物を最上層のフィルム層上に盛り付け食した後、最上層フィルムを剥離して捨てることにより、次のフィルム層を最上層として順次使用するようにした使い捨て皿。
【請求項２】
上記フィルムは自己接着性を有して、フィルム各層の相互間、および最下層フィルムの裏面と皿本体の表面とが面状に接着すると共に、各フィルムには他のフィルムと接着しない剥離用の摘み部を設けてなる請求項１記載の使い捨て皿。
【考案の詳細な説明】
【技術分野】
【０００１】
本考案は、野外での使用などに適した使い捨て皿に関する。
【背景技術】
【０００２】
従来、廃棄に適する材料で成形され、主に野外などで使用する使い捨て皿があるが、一度使用して、次の食物用に使用するに当たり、前の食物と混ざることを避ける場合には、その使用をした皿を捨て、新しい皿を使用することになる。
【０００３】
そのため、一人当たり一度の食事に要する皿の枚数が数枚になり、したがって、特に多人数による場合などには、一度の食事に要する全体の皿の使用枚数が多くなり、資材の消費量および廃棄物の処理量が増大する。
【考案の開示】
【考案が解決しようとする課題】
【０００４】
本考案は上記問題点を解決するためになされたものであり、その目的は、一度の食事において使用する皿の枚数を減らすことが出来る使い捨て皿を提供することである。
更に、その皿をより使用し易くした使い捨て皿を提供することを目的とする。
【課題を解決するための手段】
【０００５】
以上の技術的課題を解決するため、本考案に係る使い捨て皿は、互いに張り付き、かつ、最上層から順次一枚ずつ剥離可能な複数枚のフィルム層で皿本体の表面を被覆してなり、食物を最上層のフィルム層上に盛り付け消費した後、最上層フィルムを剥離して捨てることにより、次のフィルム層を最上層として順次使用するようにしたものである。
【０００６】
また、上記使い捨て皿において、フィルムは自己接着性を有して、フィルム各層の相互間、および最下層フィルム裏面と皿本体の表面とが面状に接着すると共に、各フィルムには他のフィルムと接着しない剥離用の摘み部を設けてなる構成である。
【考案の効果】
【０００７】
本考案に係る使い捨て皿によれば、使用者は、一枚の皿本体により、或る食物を最上層のフィルムにより使用した後、汚れた最上層のフィルムを剥離して捨てることにより、次の未使用のフィルム層が次の最上層となり、新たな皿と同様に使用することが出来、これを順次繰り返すことにより一度の食事を一枚の皿の使用で済ますことが出来るという効果がある。
【考案を実施するための最良の形態】
【０００８】
以下、本考案に係る使い捨て皿の実施の形態を図面に基づいて説明する。
【実施例１】
【０００９】
図１は、本考案に係る使い捨て皿の全体を示しており、使い捨て皿１は皿本体２と、その表面に形成したフィルム層３とからなる。皿本体２は使い捨てに適した材料、例えば紙、樹脂材料などで通常の皿の形状に成形される。
【００１０】
フィルム層３は、図１に断面を示したように、皿本体２よりやや大きい平面面積の複数枚のフィルムを重ね合わせてありフィルム層３の下面は皿本体２の表面に沿って張り付いている。
また、複数枚のフィルム層３（例えば、５枚）は、各々の表面間で、自己接着性により互いに面状に張り付いている。フィルム自体に自己接着性がない場合には、使用時に剥離できる接着剤を、フィルムの端部のみ、或いはフィルム面に適宜散点状に塗布するなどして、フィルム層３が相互間で不用意に剥離することが無いように貼り付けることが好ましい。
【実施例２】
【００１１】
図２は、本考案の他の実施例を示している。
複数枚のフィルム層３は、平面形状を四角形として、皿本体２の外周から四隅部がはみ出しており、そのはみ出した隅部の２箇所には、紙片その他の互いに接着性のない三角状の薄膜片４を、各フィルム層毎に貼り付けて摘み部５としている。
【００１２】
そのため、この摘み部５は、互いに張り付くことがなく、摘み易くなっている。そして、最上層のフィルム３に設けた一個所または二箇所の摘み部５を摘んで捲るように引き上げることにより、容易に最上層のフィルム３のみをその下層のフィルム３から剥がすことができる。
【００１３】
したがって、最初に使用して汚れた最上層のフィルム３は、この摘み部５によって容易に剥がして捨てることができ、次のフィルム層３が新たに最上層のフィルムとなって次の使用に供されることになる。
【００１４】
このようにして積層された複数枚のフィルム層３をすべて使い終わるまで繰り返すことができ、フィルムがなくなれば、皿本体２を使用した後、皿本体２を捨てることになる。
【図面の簡単な説明】
【００１５】
【図１】本考案の実施例１に係る使い捨て皿１を一部破断して示す斜視図である。
【図２】本考案の実施例２に係る使い捨て皿１を示す斜視図である。
【符号の説明】
【００１６】
１    使い捨て皿
２    皿本体
３    フィルム層
５    摘み部
【図１】
0003111137.tif 000003
【図２】
0003111137.tif 000004
(57)【要約】【課題】  商品を入れる容器を光るようにして、店内雰囲気を華やかにし客を惹き付けるようにする。【解決手段】  蛍光剤を混入した透明プラスチックで容器を成型し、成型に際し容器口縁に鍔を、また容器外面に脚３や突条４を容器本体１と一体的に形成し或は更に透孔６やスリット７を設けた容器に商品を入れるようにした。この容器は店内の照明により内部の蛍光剤が発光し、この蛍光は容器の鍔２および脚３や突条４の端面と透孔６やスリット７の周縁のみから出射するので、容器が光って見え、店内雰囲気が華やかになる。【選択図】  図１
0003111114.tif 000002
【実用新案登録請求の範囲】
【請求項１】
蛍光剤を混入した透明熱可塑性プラスチックで成型され、容器本体の口縁から外方に張り出した鍔、および容器本体外面から外方に突出した脚或は突条や突起等の突部が容器本体と一体的に成型され、更に透孔或はスリットが透設されたプラスチック容器。
【考案の詳細な説明】
【技術分野】
【０００１】
本考案は、店舗において商品を入れて陳列展示するための容器であって、光るようにして、店内雰囲気を明るく華やかにするためのプラスチック容器に関するものである。
【背景技術】
【０００２】
従来から店舗内雰囲気を華やかにするため、照明を工夫したり、飾りを配置し或はポスタ−やプラカ−ドを展開する等のことが行われている。一方蛍光物質を混入して外光により蛍光を発して光るプラスチック材料があり、これを利用した飾り物を店内装飾に利用した例もあるが、この光るプラスチックを商品を入れる容器に利用して、商品の陳列と店内装飾を兼用する考えは見られなかった。
【考案の開示】
【考案が解決しようとする課題】
【０００３】
本考案は上記光るプラスチックで容器を造り、商品を入れて陳列し、容器自身を店内装飾にも利用しようとするものである。
【課題を解決するための手段】
【０００４】
口縁に鍔を有し、外側面に突部を一体的に設けてその周端面を平らにし、また透孔やスリットを透設した容器を、蛍光剤を混入したポリカーボネート樹脂等の透明熱可塑性プラスチックで成型した。
【考案の効果】
【０００５】
蛍光剤を混入した透明プラスチック体は側面から入射した紫外および可視域の光で蛍光を発するが、その蛍光はプラスチック体側面からは殆ど外に出ず、プラスチック体の内部で全反射してプラスチック体内をその厚さと直交する方向に進行し、端面から外に出射するので、端面が光って見える。
【０００６】
従って本考案の容器は口縁の鍔の端面が光って見えると共に、容器外側面に形成した突部の端面や透孔，スリット等の周縁も光るので、容器が甚だ美しく目立つことになる。
【考案を実施するための最良の形態】
【０００７】
店舗の例としてパチンコ店のような遊技施設で玉とかコインを入れる容器に本考案容器を用いると、店内の照明が明るいため容器が良く光り且つ客毎に容器が用いられるため、容器の数が多くなるから、店内雰囲気を派手に演出する効果が大きい。
【実施例】
【０００８】
図１に本考案に係るプラスチック容器の一例を示す。全体は蛍光剤を混入したポリカーボネート樹脂で一体的に成型されている。１は容器本体部で半球形をしており、小物を入れたとき容器の底に集まるので、最後の一個まで容易に取り出せる。２は容器本体１の口縁に外向きに張り出した鍔で、外周は鍔面に垂直な端面になっている。容器の底は丸いので、座りを良くするため、脚３が突設されている。脚３は容器外面に縦方向に延びた鰭状の突条で、容器本体１と連続一体的に成型されたものである。容器本体１の外面にはこの他にも縦方向に鰭状に突条４がこれも容器本体と一体的に形成されている。これらの脚３や突条４の周縁も鍔２の周縁と同様に光りが出射される。
【０００９】
容器本体１や鍔２、脚３、突条４等の表面からプラスチックの実質内に入射した光によってプラスチック内の蛍光剤が発光しその光はプラスチック内面で反射を繰返し進行して、鍔２，脚３，突条４等の端面から出射するので、これらの端面が黄緑とか赤，ピンクなどに光って見え、甚だ美麗である。
【００１０】
図２は他の変形例で、突条４の他に先端面を平らにした突起５等の突部の数を増して派手さを一層強めたものであり、更に透孔６やスリット７を設けたものである。これらの透孔やスリットは容器に入れる物がこぼれない大きさであるが、その周囲から光が漏出して美観を呈し、容器に入れる物が金属球のような物であると、透孔６やスリット７からもれた光を反射して格別の効果を示す。
【００１１】
これらの例では脚３や突条４は縦方向に形成されているが、これは型抜きの都合からで、割型を用い水平或は斜め方向の突条を形成してもよい。
【産業上の利用可能性】
【００１２】
小物商品を扱い、大勢の客を呼び入れる必要のある店舗で採用するときは、店内を華やかにし、客を惹き付ける効果が期待できる。
【図面の簡単な説明】
【００１３】
【図１】本考案容器の一実施例の側面図。
【図２】本考案の他の実施例の側面図。
【符号の説明】
【００１４】
１  容器本体
２  鍔
３  脚
４  突条
５  突起
６  透孔
７  スリット
【図１】
0003111114.tif 000003
【図２】
0003111114.tif 000004
(57)【要約】      （修正有）【課題】１回扇ぐことでより多くの風を発生させるうちわを提供する。【解決手段】２つのうちわを蝶番８を使って重ね合わせ、その間にコイルスプリング１０を入れることで、うちわ同士の間隔（角度）をある範囲内に保つことができる。また、前記コイルスプリングをたわみ方向にスライドさせ、はずれ止め方法として割りピン９を使用したことを特徴とする。【選択図】図１
0003111167.tif 000002
【実用新案登録請求の範囲】
【請求項１】
２つのうちわを蝶番を使って重ね合わせ、その間にコイルスプリングを入れることで、うちわ同士の間隔（角度）をある範囲内に保つことができることを特徴とするスーパーうちわ。
【請求項２】
前記コイルスプリングをたわみ方向にスライドさせ、はずれ止め方法として割りピンを使用したことを特徴とする請求項１記載のスーパーうちわ。
【考案の詳細な説明】
【技術分野】
【０００１】  この考案は、世間一般のうちわと称するものの１つの種類としてのうちわに関する。
【背景技術】
【０００２】  従来のうちわは、柄（取っ手）と風当て部分から成り、１枚もので使用されるものである。
【考案の開示】
【考案が解決しようとする課題】
【０００３】  しかしながら、以上の技術によれば、うちわ１枚の風当て部からのみ風が発生する。１回扇ぐことで１回発生する。
そこで、この考案は、１回扇ぐことでより多くの風を発生させるうちわを提供することを課題とする。
【課題を解決するための手段】
【０００４】  以上の課題を解決するために、第一考案は、２つのうちわを蝶番を使って重ね合わせ、その間にコイルスプリングを入れることで、うちわ同士の間隔（角度）をある範囲内に保つことができることを特徴とするスーパーうちわである。
また、第二考案は、前記コイルスプリングをたわみ方向にスライドさせ、はずれ止め方法として割りピンを使用したことを特徴とするスーパーうちわである。
【考案の効果】
【０００５】  第一考案、または第二考案によれば、うちわとうちわを蝶番でつなぎ、さらに二つのうちわの間にコイルスプリングを入れたことにより、一回扇ぐことで二枚の風当て部から一回ずつ続けて（計二回）風が発生する仕組みである。この原理は二つのうちわの間のある一定の間隔が、一枚のうちわ（本体）を扇いだ直後もう一枚のうちわ（サブ）がその慣性の力で扇がれ狭まるが、すぐにスプリングの力で元の間隔に戻り、この動作が扇ぐ度に繰り返されることでより多くの風を発生させることができる。
【考案を実施するための最良の形態】
【０００６】  この考案の一実施形態を、図１に示す。
スーパーうちわの本体であるうちわ１は風当て部２と柄３から成っている。風当て部２は扇状に広がった骨の両面に紙４を貼った構造である。風当て部２の骨と柄３はプラスチックまたは竹で出来ている。このうちわ１をベースとすると、サブとなるうちわ５の風当て部６はうちわ１と同じ構造であるが、柄７が極端に短く、柄７の先端とうちわ１の柄３の部分を蝶番８で固定して、貝を閉じたり開いたりするような動きができるようにした。
また、うちわ５の風当て部６と柄７の境の部分と、うちわ１の風当て部２と柄３の境の部分に穴を開け、割りピン９を通し、その割りピン９をガイドとしてコイルスプリング１０を挿入した。割りピン９はうちわ５の表側で２つに折ってうちわ５がうちわ１からコイルスプリング１０の力で外れるのを防止した。
うちわ１と５の成す最大角度が約４５度になるように割りピン９のストッパー部の長さを調節した。
コイルスプリング１０の強さはうちわ１を手に持って扇ぐ際にうちわ５がうちわ１の動きに同調できるように選定した。
【実施形態の効果】
【０００７】  この実施形態によれば、うちわ１を手に持って扇ぐ度に、うちわ５もうちわ１の動きに同調し扇がれ、より多くの風が発生する。
【他の実施形態】
【０００８】  図１の実施形態では、うちわ１とうちわ５をつなぐ蝶番は三角形のリングの一辺を通して二つに折り曲げた板の間に柄７を挟み込んでボルト・ナット・ワッシャーで固定し、三角形のリングの頂点を柄３にボルト・ナット・ワッシャーにて固定したものであるが、他の実施形態では、これ以外の蝶番と称されるものを使用しても良い。
また、図１の実施形態では、うちわ１の風当て部２と柄３の境の部分とうちわ５の風当て部６と柄７の境の部分に開けた穴に割りピン９を通しているが、他の実施形態では、ボルトを通してダブルナットで止めても良い。
なお、うちわ１とうちわ５の成す角度は４５度以外でもよい。
【図面の簡単な説明】
【０００９】
【図１】この考案のスーパーうちわの一実施形態を示す斜視図である。
【図２】従来技術を示す斜視図である。
【符号の説明】
【００１０】  １  うちわ本体                      ２  うちわ本体の風当て部
３  うちわ本体の柄                  ４  紙
５  うちわサブ                      ６  うちわサブの風当て部
７  うちわサブの柄                  ８  蝶番
９  割りピン                      １０  コイルスプリング
１１  ボルト・ナット・ワッシャー    １２  ボルト・ナット・ワッシャー
【図１】
0003111167.tif 000003
【図２】
0003111167.tif 000004
(57)【要約】      （修正有）【課題】１枚のサイズでも利用でき、具材のサイズや量により、簡単に２枚をつなぎ合わせの道具（補助具）により、２枚分の大きなサイズとして利用することが出来るまな板セットを提供する。【解決手段】本考案はまな板と、補助具を取り付ける専用の吊り下げ台２に、小サイズのまな板２枚を吊り下げ、台の両サイドには、補助具３が引っ掛けてある。２枚分の大きなサイズとして利用する場合は、補助具の上に２枚のまな板をのせることにより、２枚分の大きなサイズとして利用できる。【選択図】図１
0003111166.tif 000002
【実用新案登録請求の範囲】
【請求項１】
４枚の小サイズのまな板が、まな板専用吊り下げ台に下げられ、１枚ごとの使用方法以外に、２枚をつなぎ合せの道具により、つなぎ合せ、２枚分の大きくなったサイズとして使用できることを特徴としたまな板セット。
【考案の詳細な説明】
【技術分野】
【０００１】  本案件は、４枚の小サイズのまな板を、１セットとして、まな板専用吊り下げ台に吊り下げ、つなぎ合わせの道具により２枚をつなぎ合せ、２枚分の大きくなったサイズとしても使用できる、まな板セットに関するものである。
【背景技術】
【０００２】  従来の家庭用のまな板は、小サイズから大サイズまで幅広くあり、いくつもの違うサイズのまな板を台所に保管するのは整理もしにくい。
【考案の開示】
【考案が解決しようとする課題】
【０００３】  サイズの違うまな板を、何枚か台所に保管するのは、保管の効率が悪い。また、大きすぎたり小さすぎたりと、丁度良いサイズを見つけずらい。しかし、小サイズで同サイズのまな板が１箇所に集中して保管され、しかも具材のサイズや量によっては簡単に大きいサイズとして使用することが出来、前述の欠点を解決しようとするものである。
【課題を解決するための手段】
【０００４】  本考案は、小サイズのまな板４枚を、まな板専用吊り下げ台に吊り下げ、台の両サイドには、２枚のまな板をつなぎ合わせる補助具が引っ掛かっている。まな板２枚をつなぎ合わせ、２枚分のサイズとして使用する方法は、補助具２個を平行にして敷き、この上にまな板２枚を左右につなぎ合わせる。補助具の両サイドは、コの字型になり、丁度まな板の厚みに相当する両サイドの部分が、２枚のまな板を中央へと押さえる働きをしている。この補助具の押さえる力により、２枚のまな板は、ぴったりとつながり２枚分のサイズとして使用できる。
【考案の効果】
【０００５】  上述のように、本考案のまな板４枚セットは、まな板１枚ごとの使用のほか、補助具を使い、２枚分のサイズとして使うことが出来、料理の具材や量により、簡単にサイズを変えられる。大きいサイズや小さいサイズの各種の形の違うまな板を用意することはない。このセット一式で用が足せることとなる。
【考案を実施するための最良の形態】
【０００６】  まな板のサイズは、約１５センチ×２５センチ位の４枚のまな板が、専用の吊り下げ台に吊り下げられ、台の両サイドには長さ約３０センチの、補助具が引っ掛かっている。この補助具を敷いて、２枚のまな板を使用した場合は、約３０センチ×２５センチ位の大きなサイズとしても利用できることとなる。
【実施例】
【０００７】  以下、添付図面に従って実施例を説明する。１はまな板で、専用の吊り下げ台に４枚吊り下がっている。２はまな板と補助具を取り付ける専用の台。３は２枚のまな板をつなぎ合わせる２個の補助具。４は補助具の両サイド部分で、まな板を両側から押さえるためにやや内側に曲がり、まな板を挟みこんでいるときは直角になるが、反発力で元に戻ろうとする性質を利用してまな板を押さえつけている。
【図面の簡単な説明】
【０００８】
【図１】本考案のまな板セットの全体図。
【図２】２枚のまな板をつなぎ合わせる道具（補助具）。
【図３】まな板２枚が補助具を利用してつなぎ合った図。
【図４】まな板と補助具を吊り下げる専用の台。
【符号の説明】
【０００９】１、まな板
２、まな板と補助具を取り付ける専用の台。
３、２枚のまな板をつなぎ合わせる道具（補助具）。
４、補助具の両サイド部でまな板を抑える力となる部分。
【図１】
0003111166.tif 000003
【図２】
0003111166.tif 000004
【図３】
0003111166.tif 000005
【図４】
0003111166.tif 000006
(57)【要約】      （修正有）【課題】ガーゼやハンカチなどを簡易によだれかけとして利用し、かつ安全に着用することができるベビー服の提供。【解決手段】ベビー服の首周り（おもに肩）にベルトループ状の輪を取り付けておき（スタイループ）、そこにガーゼやハンカチの端をさして位置を保つことにより、それらをよだれかけとして利用することができる。また引っ張ればすぐに取れてしまうため、首に直接巻きつける形のよだれかけをしめるより安全である。首に直接巻きつけるよだれかけもスタイループにそのひもをスタイループに通すことで位置を固定でき、回ってしまうことを防ぐことができる。【選択図】図２
0003111164.tif 000002
【実用新案登録請求の範囲】
【請求項１】
首周りにベルトループ状の輪が取り付けてあり、そこに布を差し込むことにより、布の位置を保つことのできるベビー服
【考案の詳細な説明】
【技術分野】
【０００１】衣料
【背景技術】
【０００２】ベビー服、よだれかけ、ベルトループ
【考案の開示】
【考案が解決しようとする課題】
【０００３】ガーゼやハンカチなどの布をベビー服に簡易によだれかけとして利用でき、かつ安全に着用すること。
【課題を解決するための手段】
【０００４】ベビー服の首周りにベルトループ状の輪を取り付ける（以下、輪のことをスタイループと記載します）。そのスタイループにガーゼやハンカチ等の布の端を差し込むことでよだれかけとして利用する。
【考案の効果】
【０００５】ハンカチやガーゼなどがよだれかけの代替品として使え、かつ首に直接巻き付けないことで引っ張りによる事故を防ぐことができる。また、首に直接巻きつけるよだれかけもスタイループに通して使用することにより回ることを防ぐことができる。
【考案を実施するための最良の形態】
【０００６】ベビー服の両肩にベルトループ状のものを取り付けた形。
【実施例】
【実施例１】
【０００７】正方形のガーゼを三角になるよう二つ折りし、その両端を本考案のスタイループに差込み、ガーゼをよだれかけとして利用する。
【実施例２】
【０００８】直接首にかける方式のよだれかけを本考案のスタイループに差込み使用することでよだれかけが回らないようにしておく。
【産業上の利用可能性】
【０００９】どんな布でもよだれかけとして利用できるようになる一方で、本考案のスタイループを利用したとめかたをする新しいデザインのスタイも作ることができる。
【図面の簡単な説明】
【００１０】
【図１】本考案のスタイループ付きベビー服を示した平面図である。
【図２】よだれかけとなる布をスタイループに通した平面図である。
【符号の説明】
【００１１】１  ベビー服本体
２  スタイループを形成するため、ベビー服に縫い付けてある布又はゴム
３  １と２で囲まれた輪状の穴（スタイループ）
４  よだれかけとなる布
【図１】
0003111164.tif 000003
【図２】
0003111164.tif 000004
(57)【要約】【課題】  本考案は災害非常事態時に出動する特殊車輌で、現場から対策本部と交信を行い、現場状況を映像音声で送信し対策本部での迅速な状況把握と対応策に便を供するとともに、被災地住民への情報提供・避難指示伝達の確保、安否情報の提供、飲料水の提供等により災害現場で多用途で活用をする。平常時においては、防災に関する広報・啓蒙活動に活用をする。【解決手段】  本考案は車輌に伸縮ポールを装着し、ポール先端に取付けた旋回・俯仰雲台１にビデオカメラを取付け、カメラ映像は可搬型情報通信装置２により衛星通信で対策本部と送受信する。コミュニティＦＭ放送局装置３により被災地住民へ情報提供・避難指示等の伝達を行う。広報用大型情報ディスプレィ装置４へ災害・安否情報の開示を行うと共に平常時は広報・防災啓蒙活動に活用する。浄水装置６、交流電源供給装置７、コンピュータによる情報マネージメントシステム５を搭載し災害対策活動に多用途で役立つ。【選択図】  図１
0003111165.tif 000002
【実用新案登録請求の範囲】
【請求項１】
災害時、非常事態時に出動する特殊車輌で、災害現場並びに非常事態現場から対策本部と衛星通信装置による交信を行い、現場の状況を対策本部へ映像と音声で送信するとともに、コミュニティＦＭ放送局装置を搭載して地域住民へ被災状況避難指令の伝達、及び衛星通信を介した被災者安否情報の開示、浄水装置並びに給湯及び簡易調理装置を搭載して緊急ライフサポートの提供、広報用大型ディスプレイ装置の搭載、広報用拡声装置の搭載、投光器照明装置の搭載、交流電源供給装置の搭載、テント及び簡易テーブルの搭載、コンピュータシステムによる搭載通信装置並びに電子装置の一元制御、平常時においては防災の啓蒙並びに教育訓練への活用機器を搭載して、これらの装置機器を１台の車輌に搭載したところを特徴とする災害対策多機能車
【考案の詳細な説明】
【技術分野】
【０００１】  本考案は、災害等緊急事態発生時に現場から衛星通信によって映像音声を本部と送受信する装置及び被災住民の緊急生活支援、広報等を行う装置を構成した車輌に関するものである。
【背景技術】
【０００２】  従来の災害用衛星通信車輌は専用機能の大型車輌で高価格であった。また、生活支援車輌も給水車、電源車等の専用機能車であった。
【考案が解決しようとする課題】
【０００３】  災害対策用車輌は機能毎の専用車輌で高価格で維持費など経済的負担も大きく、操作も専門資格を要するものもあり緊急時に汎用し難い。さらに災害発生時以外の平常時では使用することが少ないため実使用時に搭載機器のトラブルが発生することもある。従って、平常時でも使用できる機能を持たせ、災害発生時に専門資格を持たない人でも多用途で活用できる機能・装置を一体化構成して小型化することにより廉価で多機能の災害対策車が可能になり、前述の課題を解決しようとするものである。
【課題を解決するための手段】
【０００４】  本考案は、専門資格が不要で且つ簡単操作でどこでも使用できる可搬型情報通信装置を搭載した特殊車輌で、災害緊急事態現場から可搬型情報通信装置を用いた衛星通信によって対策本部と双方向交信を行い、現場状況を映像音声で送信し対策本部での迅速な状況把握と対応策に便を供し、災害による地上通信回線が不通になっても現場と本部の通信を確保できる。更にコミュニティＦＭ放送局装置を搭載して地域住民へ被災状況避難指令の伝達、及び衛星通信を介した被災者安否情報の開示、浄水装置を搭載して飲料水の提供並びに給湯及び簡易調理装置を搭載して緊急ライフサポートの提供、広報用大型ディスプレイ装置の搭載、広報用拡声装置の搭載、投光器照明装置の搭載、交流電源供給装置の搭載、テント及び簡易テーブルの搭載、コンピュータシステムによる搭載通信装置並びに電子装置の一元制御を行う。平常時においては、広報用装置により防災に関する広報啓蒙活動に活用をする。これら災害対策装置を本車輌１台に架装搭載すること及び本車輌活用頻度の増加により問題点を解決している。
【考案の効果】
【０００５】  上述のように、災害緊急事態発生時に現場で必要な装置機器を本車輌１台に架装搭載するすることにより、廉価で汎用性の高い災害対策車輌を提供することができ、災害緊急事態発生時には減災・被害の軽減・人命救助活動に役立ち、平常時においても搭載装置を活用して危機管理の啓蒙教育に役立つ。
【考案を実施するための最良の形態】
【０００６】  災害緊急事態発生時に現場へ急行して、車輌屋上に装着の伸縮ポールを上昇させ、このポールの先端部に取付けた旋回・俯仰雲台装置上のビデオカメラをリモートコントローラ装置及びモニターによって最良の現場映像を捉え、可搬型情報通信装置により衛星通信回線を介して対策本部と送受信する。また台風豪雨のような状態の時、家屋の雨戸等が閉まって地域広報スピーカ等の外音が家屋内で聞えない状況の場合、本車輌搭載のコミュニティＦＭ放送局装置によって被災情報・避難指示の伝達を行う。また災害によって水道が断水した場合、搭載した浄水装置によって被災住民へ飲料水の提供を行う。また衛星通信回線を介したネッワークにより被災者安否情報を広報用大型ディスプレイ装置に開示する。また平常時には搭載した広報装置機器及び危機管理防災教育ビデオソフト等により地域住民・学校等において防災啓蒙活動で活用をする。
【実施例】
【０００７】  以下、添付図面に従って一実施例を説明する。１は伸縮ポール先端部に取付けた旋回・俯仰雲台装置でビデオカメラ及び旋回・俯仰角度を車輌内部からリモートコントロールする。カメラ映像は可搬型情報通信装置２及び可搬型衛星アンテナ２ａによって衛星通信回線を介して対策本部等へ送受信する。【０００８】  コミュニティＦＭ放送局装置３及びＦＭ放送アンテナ３ａにより被災地住民へ情報提供避難指示等の伝達を行う。４は広報用大型ディスプレィ装置で災害・安否情報を可搬型情報通信装置２及び可搬型衛星アンテナ２ａ及び情報マネージメントシステムを内蔵したノート型パソコン５によって衛星通信回線を介したネットワークにより開示する。４広報用大型ディスプレィ装置及び広報用拡声装置４ａは平常時に広報・防災啓蒙活動に用いる。【０００９】災害によって水道が断水した場合、搭載した浄水装置６によって河川・プール等の水を浄水して飲料水の提供を行う。交流電源供給装置７、投光器照明装置８、給湯及び簡易調理装置９を搭載し、災害対策活動の多用途で活用する。
【図面の簡単な説明】
【００１０】
【図１】本考案の車輌搭載例を示す正面図である。
【図２】本車輌の搭載例を示す平面図である。
【図３】本車輌の搭載例を示す後面図である。
【符号の説明】
【００１１】  １    旋回・俯仰雲台装置
２    可搬型情報通信装置
２ａ  可搬型衛星アンテナ
３    コミュニティＦＭ放送局装置
３ａ  ＦＭ放送アンテナ
４    広報用大型ディスプレィ装置
４ａ  広報用拡声装置
５    情報マネージメントシステム内蔵ノート型パソコン
６    浄水装置
７    交流電源供給装置
８    投光器照明装置
９    給湯及び簡易調理装置
１０    オーニング（テント）及び簡易テーブル
【図１】
0003111165.tif 000003
【図２】
0003111165.tif 000004
【図３】
0003111165.tif 000005
(57)【要約】      （修正有）【課題】常時車椅子の背面に幌と、カーテンを携行しており、日照の強い時や、突然の雨にも、幌、或いはカーテンを、車椅子利用者の頭上や周囲に、素早く展開する車椅子用の幌を提供する。【解決手段】前方を下向に屈曲した縦枠と、中折れする横枠で、車椅子上を被える幌枠を形成し、該幌枠に幌垂れを含む防水布を張着し、幌を構成し、該幌は、車椅子の背面に設置された伸縮支柱と遊着されており、車椅子の背面に縮小され常時携行しているので、突然の天候変化の時にも、即座に、使用者の座高に合わせ、幌の高さを調整し、伸縮支柱先端の支点を軸に、収納されている幌を展開し、前方へ転回させ使用者の頭上に被せる、日照の角度や風雨の時には、角度変換装置で幌の角度を変換し、更に幌垂れの内側に脱着可能なカーテンを装着する。【選択図】図１
0003111161.tif 000002
【実用新案登録請求の範囲】
【請求項１】
縦枠３と中折れする横枠４で、車椅子上を被え、且つ収納時には縮小可能な幌枠を形成し、該幌枠に、幌垂れ２を含む防水布を張着し、幌１を構成する、車椅子構成背面パイプ１３に、立置繋着した中空支柱５へ、先方を屈曲し、その先端６に支点３ａを設けた伸縮支柱５ａを挿入する、該支点３ａと縦枠３の枠端は遊着されており、該中空支柱５内を伸縮支柱５ａが上下することに依り、幌１の高低調整を行い、更に該伸縮支柱５ａの屈曲部に、縦枠３を保持すると共に、角度の変換操作も可能な、角度変換装置７の装着により、伸縮支柱５ａ先端６の支点３ａを軸に、幌１の転回操作で、展開、収納を速やかに行える特徴をもつ車椅子用の幌。
【考案の詳細な説明】
【技術分野】
【０００１】  本考案は、常時車椅子の背面に幌と、カーテンを携行しており、日照の強い時や、突然の雨にも、幌、或いはカーテンを、車椅子利用者の頭上や周囲に、素早く展開する車椅子用の幌に関するものである。
【背景技術】
【０００２】  従来、車椅子で外出する際、雨天であったり、日照が強い時には、レインコートや、日傘等を使用したり、又外出を控えることもあった。
【考案の開示】
【考案が解決しようとする課題】
【０００３】  車椅子での外出時に、突然の天候変化に、身障者に素早く、レインコートを着せることは困難であり、大きな傘を開くと路地や、人通りの多い商店街では、交通の邪魔にもなり、他人の迷惑になった。
【課題を解決する為の手段】
【０００４】  以上の課題を解決すべく、縦枠３と、中折れする、横枠４で、車椅子上を被え、且つ収納時には、縮小可能な幌枠を形成し、該幌枠に、幌垂れ２を含む防水布を張着し、幌１を構成する、車椅子構成背面パイプ１３に、繋着した中空支柱５へ、先方を屈曲し、その先端６に支点３ａを設けた伸縮支柱５ａを挿入する、該支点３ａと縦枠３の枠端は遊着されており、該中空支柱５内を伸縮支柱５ａが上下することに依り、幌１の高低調整を行い、更に該伸縮支柱５ａの屈曲部に、縦枠３を保持すると共に、角度の変換操作も可能な、角度変換装置７の装着に依り、伸縮支柱５ａ先端６の支点３ａを軸に、幌１の転回操作で、展開、収納を速やかに行える特徴をもつ車椅子用の幌である。
【考案の効果】
【０００５】  図３、常時車椅子の背面に幌１を、携行しているので、突然の天候変化等にも、伸縮支柱５ａで利用者の坐高に調整し、背面に収納してある幌１を展開し、該伸縮支柱５ａの先端６の支点３ａを軸に、幌１の縦枠３を保持する角度変換装置７まで、前方に転回させ、利用者の頭上周囲に被せるだけの簡単な操作で、即座に対応でき、路地や商店街でも、他人への迷惑にならず、横雨に対しても、幌垂れ２の内側に脱着可能なカーテン１５を使用すると、濡れることも少なく、利用者、介護者も、安心して外出が楽しめる。
【考案を実施するための最良の形態】
【０００６】  図５、前方を下向に屈曲し、枠端にビス孔を施した縦枠３と、図２、中折れ用ビス４ａで、中折れする横枠４を、縦枠３に夫々繋着し、図２、車椅子上を被える幌枠を形成し、図１、幌垂れ２を含む防水布を該幌枠に張着し、幌１を構成する。幌１の高低調整用に、図４、車椅子構成背面パイプ１３に、中空支柱５を繋着し、その中空支柱５へ挿入する伸縮支柱５ａの、先方を屈曲し、その先端６にビス孔を設け支点３ａとし、該支点３ａと、縦枠３の枠端をビス等で遊着し、図５、６に示す伸縮支柱５ａの屈曲部に、縦枠３を保持すると共に、角度も変換可能な、角度変換装置７を装着用ビス７ａで装着する、幌１の高さを調整する時、伸縮支柱５ａを中空支柱５内で上下させ高さを調整し、伸縮支柱５ａ、中空支柱５には、夫々適所にストッパー用孔１４を設け、釘状のストッパー１４ａを挿入し、伸縮支柱５ａを中空支柱５に固定する。日照角度や風雨の時、展開中の幌１の角度を変換する際は、図５、６、８、９、角度変換装置７を、上下逆転させることに依り、幌１を構成している縦枠３の保持位置が上下に変動する、従って幌１の角度が変換される。図３、幌１の収納時は、利用者の頭上に展開中の幌１を、伸縮支柱５ａの先端６の支点３ａを軸に車椅子の背凭れ１０ａ背面まで後転させ、更に図７、車椅子を畳む時には、中折れ用ビス４ａで中折れする横枠４を、折り畳み、車椅子背面に縮小され収納することができる、日照りの強い時、突然の強い雨等の特に必要時には、即座に幌垂れ２の内側へカーテン１５を取り付けることも可能な車椅子用の幌である。
【図面の簡単な説明】
【０００７】
【図１】  幌展開中の斜視図である。
【図２】  幌の平面図、一部透視図である。
【図３】  幌の前転、後転による展開、及び収納時の側面図、一部透視図である。
【図４】  展開中の幌と、車椅子の背面図である。
【図５】  縦枠保持中の角度変換装置と、中空支柱と伸縮支柱の相関図である。
【図６】  縦枠保持中と共に、角度変換装置の上下逆転により、幌前方下向図である。
【図７】  車椅子の折り畳み時と、幌収納時の背面図である。
【図８】  角度変換装置の正面図である。
【図９】  角度変換装置の側面図である。
【図１０】  幌垂れに装着中のカーテン、一部透視図である。
【符号の説明】
【０００８】１  幌      ２  幌垂れ      ３  縦枠      ３ａ  支点      ４  横枠
４ａ  中折れ用ビス      ５  中空支柱      ５ａ  伸縮支柱      ６  先端
７  角度変換装置      ７ａ  装着用ビス      ８  駆動輪      ８ａ  駆動握り
９  前輪      １０  坐面      １０ａ  背凭れ      １１  握り      １２  肘掛
１３  車椅子構成背面パイプ      １４  中空支柱、伸縮支柱ストッパー用孔
１４ａ  ストッパー      １５  カーテン      １５ａ  カーテン脱着部
【図１】
0003111161.tif 000003
【図２】
0003111161.tif 000004
【図３】
0003111161.tif 000005
【図４】
0003111161.tif 000006
【図５】
0003111161.tif 000007
【図６】
0003111161.tif 000008
【図７】
0003111161.tif 000009
【図８】
0003111161.tif 000010
【図９】
0003111161.tif 000011
【図１０】
0003111161.tif 000012
(57)【要約】      （修正有）【課題】コンドームの先端部を短小の欠点を補う機能をもたせるために長大化させた機能性コンドームである。【解決手段】精液だまり１の外側に硬度を持たせた硬い部分２を付加する。大型の精液だまりを持つコンドームに装着型の硬い物を作り装着型段突コンドームとしても同様の効果を得ることができる。また形は図面のような形でなく通常男子の亀頭部のようずんぐりとした物でもよいし、材質はシリコン、硬質のゴム等のように従来のコンドームより硬質のものであれば何でもよい。【選択図】図１
0003111170.tif 000002
【実用新案登録請求の範囲】
【請求項１】
精液だまりの先端部分を拡大し硬くすることで短小の欠点を解消するコンドーム
【考案の詳細な説明】
【考案の詳細な説明】
この実用新案は、精液だまりの先端部分に硬度を高めた部分を付加した段突コンドームに関するものである。
従来のコンドームは精液だまりが射精された精液を貯めることだけを目的として作られていたから、短小の男子が装着しても短小の欠点を補うことができなかった。
本考案は、その欠点を除くためになされたもので、これを図面について説明すれば従来の精液だまり（１）の外側に硬度を持たせた硬い部分（２）を付加する。
本考案は、このような構造であるから硬い部分（２）の大きさを何通りか用意することでかなり多くの短小者を救うことが可能となる。なお、本考案の硬い部分図２の（３）のような大型の精液だまりを持つコンドームに装着型の硬い部品図２の（４）の形状の物を作り装着型段突コンドームとしても同様の効果を得ることができる。
また形は図面のような形でなく通常男子の亀頭部のようずんぐりとした物でもよいし、材質はシリコン、硬質のゴム等のように従来のコンドームより硬質のものであれば何でもよい。
【図面の簡単な説明】〔図１〕本案の斜視図である。
〔図２〕本案の斜視図である。
【符号の説明】
図１の（１）は精液だまり、（２）は硬い部分、
図２の（３）はコンドーム本体の先端、（４）装着部品
【図１】
0003111170.tif 000003
【図２】
0003111170.tif 000004
(57)【要約】【課題】  本考案は、より強い保冷力を保つ目的で、ペットボトル用ケースに締め付けようのベルトを付けたものである。【解決手段】  本考案は、ペットボトル飲料の保冷効果をより強くすることを目的に、ペットボトル用ケースとペットボトル本体の間に、筒状の保冷剤を入れることを手段として、ペットボトルケースに締め付けようの伸縮性のある幅広いベルトを付ける。この締め付けにより保冷剤とペットボトル本体が密着され、より保冷効果が増す。【選択図】  図３
0003111187.tif 000002
【実用新案登録請求の範囲】
【請求項１】
ペットボトル飲料の、保冷を目的としたペットボトル用ケースに、保冷効果を高めるため、ペットボトル用ケースと、ペットボトル本体の間に、細長い筒状の保冷剤を入れることを手段として、この保冷剤を、より効果的にペットボトル本体に密着させるために、ペットボトル用ケースの外側中央部から、左右に分かれる２本の伸縮性のある、幅の広いベルトがついていて、このベルトで、ペットボトル本体を、締め付けることが出来ることを特徴とする、ペットボトル用ケース。
【考案の詳細な説明】
【技術分野】
【０００１】  本案件は、ペットボトル用ケースに、ケースの中に入った、保冷剤をペットボトル本体に、密着させるため、締め付けようの伸縮性のある幅の広いベルトが、ついたペットボトル用ケースに関するものである。
【背景技術】
【０００２】保冷を目的としたペットボトル用ケースは、断熱効果がある素材を使用した各種ケースもあるが、保冷剤を同時に使用しない場合は、効果も薄い。ペットボトル用ケースと、保冷剤を、効果的に利用する方法が必要となる。
【考案の開示】
【考案が解決しようとする課題】
【０００３】  ペットボトルを、保冷を目的として、ペットボトル用ケースの中に入れるだけでは、その保冷効果は十分とはいえず、保冷剤とペットボトル用ケースの、効果的な使用方法が必要となる。
【課題を解決するための手段】
【０００４】  本考案は、ペットボトル用ケースを利用して、さらに保冷力を強くするために、ペットボトル用ケースに、伸縮性のある、幅の広いベルトを付けることとした。
【考案の効果】
【０００５】  本考案により、ペットボトルとケースの間に、保冷力を強くすることを目的とした、筒状の保冷剤を入れた場合、保冷剤とペットボトル本体が、ベルトの締め付け効果により、強く密着され、より効果的な、保冷力の強いペットボトル用ケースとして利用できる。
【考案を実施するための最良の形態】
【０００６】  ペットボトル用ケースの外側に、ケースを締め付ける、伸縮性のある幅の広いベルトを、左右に１本ずつ付け、ペットボトルを一回りする要領で、ケースを締め付ける役割をする。このベルトの締め付けにより、ペットボトル本体とケースの間に入った筒状の保冷剤が、より強く、ペットボトル本体に密着され、保冷効果が増す。
【実施例】
【０００７】  以下、添付図面に従って実施例を説明する。１は一般的なペットボトル用ケースの上部の締め付けようのヒモ。２はペットボトルを一回りする要領で、ペットボトル本体を締め付ける伸縮性のある幅の広いベルト。３はベルトを接着させる面ファスナーなど。４は筒状の保冷剤。５はペットボトル本体。６はペットボトルケースに伸縮性の幅広いベルトを縫い付けて接合しているところ。
【図面の簡単な説明】
【０００８】
【図１】一般的なペットボトル用ケースの図。
【図２】伸縮性のある幅広いベルトがついたペットボトル用ケース。
【図３】保冷剤を含めた全体図。
【図４】ベルトを締め付けた状態のペットボトル用ケース。
【符号の説明】
【０００９】１ペットボトル用ケースの上部についた締め付けようの紐。
２伸縮性のある幅広いベルト。
３ベルトを接着させる面ファスナー部分。
４筒状の保冷剤。
５ペットボトル本体。
６ペットボトル用ケースに縫いつけられているところ。
【図１】
0003111187.tif 000003
【図２】
0003111187.tif 000004
【図３】
0003111187.tif 000005
【図４】
0003111187.tif 000006
(57)【要約】【課題】屋根の上におけるアンテナ工事で、アンテナマストを支持するための支線を固定する支線止めを安全かつ迅速に取り付けるための支線止めを提供する。【解決手段】錆びにくく強度があるＹ字型に形成した金属棒（１）のＹ字部両端を釣り針状に折り曲げ、両先端にすべり止め兼用の断衝材（２）（３）を取付、Ｙ字の交点にナット（４）を設け、瓦、下地材挟み込み用ボルト（５）をねじ込む、Ｙ字下部先端に支線止め用リング（６）を形成し、ボルト先端部にもすべり止め兼用断衝材（７）を取り付ることを特徴とする。【選択図】図１
0003111182.tif 000002
【実用新案登録請求の範囲】
【請求項１】
錆びにくく強度がある金属棒（１）をＹ字型に形成し、Ｙ字部の両端を釣り針状に折り曲げ、その先端にすべり止め兼用の断衝材（２）（３）を取付、Ｙ字の交点にボルト挿入用ナット部（４）を設け、瓦、下地板挟み込み用ボルト（５）をねじ込み、Ｙ字下部先端に支線止め用リング（６）を形成し、取り付けボルト先端部にもすべり止め兼用断衝材（７）を取り付けた屋根瓦、下地板挟みこみ式アンテ支線止め。
【考案の詳細な説明】
【技術分野】
【００１】  本考案は寄せ棟、切妻等三角屋根や傾斜屋根の上にアンテナを設置するときにアンテナ支柱を固定するためのアンテナ支線止めに関する。
【背景技術】
【００２】      従来のアンテナ支線止めは釘か、釘の頭をフック状やリング状にしたアンテナ支線止めくぎがある。
【考案の開示】
【考案が解決しようとする課題】
【００３】  従来、寄せ棟、切妻等三角屋根や傾斜屋根上でアンテナ工事を行うさい、アンテナパイプを固定するための支線止めを垂木、鼻隠し、下地材等に打ち込んだりねじ込んだりするための工事を屋根の端から体をのりだして行う作業をするため非常に危険であった。また地上から梯子をかけて支線止めの固定作業をする場合、支線を三方や四方に張らなければいけないため、梯子の設置場所を家屋の周囲に設定するのが困難であった。さらにアンテナ支線を雨どいの外側から回して張らなければならないときには、支線の張力で雨どいが変形して家屋に悪影響を与えていた。
【課題を解決するための課題】
錆びにくく強度がある金属棒（１）をＹ字型に形成し、Ｙ字の両端を釣り針状に折り曲げ、その先端にすべり止め兼用の断衝材（２）（３）を取付、Ｙ字の交点にボルト挿入用ナット部（４）を設け、瓦、下地挟みこみ用ボルト（５）をねじ込む、Ｙ字下部先端に支線止め用リング（６）を形成し、ボルト先端部にもすべり止め兼用断衝材（７）を取り付けたアンテナ支線止め。
【考案の効果】
【００４】  本考案は以上のような形状であるため、寄せ棟、切妻等三角屋根や傾斜屋根におけるアンテナ工事においてアンテナ支線止めの固定工事が、ボルトの締め付けだけで良く、屋根の端の方に体を乗り出すことなく、安全な位置から作業ができ、雨どいや瓦などを傷めることがなくなる。また屋根の上から作業ができるため梯子の移動が不要になり作業時間が短縮できる。
【考案を実施するための最良の形態】  考案の実施の形態を実施例にもとづき図面を参照して説明する。
屋根の上で図１の釣り針状の曲がり部分をを屋根の先端に引っ掛け、ボルト（５）をねじ込み、支線止めを固定し、リング部（６）に支線を巻きつけアンテナ支柱を支える。
【産業上の利用可能性】
【００５】
【図面の簡単な説明】
【００６】
【図１】屋根瓦、下地板挟みこみ式アンテナ支線止めの斜視図である。
【符号の説明】
【００６】１    Ｙ字型金属棒
２    すべり止め兼用断衝材
３    すべり止め兼用断衝材
４    ボルト挿入用ナット
５    締め込み用ボルト
６    支線止め用リング
７    すべり止め兼用断衝材
【図１】
0003111182.tif 000003